(57)【要約】【課題】同一のデータを用いた画像形成が、各々異なる画像処理条件に従って行われたときの各々の画像形成結果を表す画像を提供する。【解決手段】画像形成装置Ａは、端末装置から要求されたデータを取得し、取得したデータを画像形成装置Ｂ，Ｃに転送する。そして、自装置に対して設定された画像処理条件に従って、取得したデータに画像処理を施し、そのデータに応じた画像データを生成する。画像形成装置Ｂ，Ｃは、自装置に対して設定された画像処理条件に従って、転送されてきたデータに画像処理を施し、そのデータに応じた画像データを生成する。画像形成装置Ａ，Ｂ，Ｃは、生成したプレビュー画像データを端末装置に送信する。端末装置は、送信されてきたプレビュー画像データが表す各々のプレビュー画像を表示する。【選択図】図１
2009110381.tif 000002
【特許請求の範囲】
【請求項１】
第１画像処理装置と、第２画像処理装置と、端末装置とを備え、
前記第１画像処理装置は、
前記端末装置によって要求されたデータを取得する取得手段と、
前記取得手段が取得したデータを前記第２画像処理装置に転送する転送手段と、
自装置に設定された画像処理条件に従い、前記取得手段が取得したデータに画像処理を施して第１画像データを生成する第１画像処理手段と、
前記第１画像処理手段が生成した第１画像データを前記端末装置に送信する第１送信手段とを備え、
前記第２画像処理装置は、
自装置に設定された画像処理条件に従い、前記転送手段から転送されてきたデータに画像処理を施して第２画像データを生成する第２画像処理手段と、
前記第２画像処理手段が生成した第２画像データを前記端末装置に送信する第２送信手段とを備え、
前記端末装置は、
前記第１及び第２送信手段からそれぞれ送信されてくる第１及び第２画像データを受信する受信手段と、
前記受信手段によって受信された第１及び第２画像データが表す各々の画像を、前記取得手段が取得したデータと各々の前記画像処理条件とに基づいて形成される画像として表示手段に表示させる表示制御手段を備える
ことを特徴とする画像処理システム。
【請求項２】
前記端末装置は、
前記表示手段に表示される複数の画像の中からある画像が選択されると、当該選択された画像を表す画像データを生成した前記第１又は第２画像処理装置に対して、当該画像データを用いた画像形成を要求する画像形成要求手段を備え、
前記第１及び第２画像処理装置は、前記端末装置の前記画像形成要求手段によって画像形成を要求されると、自装置に設定された前記画像処理条件に従い、前記第１又は第２画像処理手段が生成した画像データ応じた画像を形成する画像形成手段を備える
ことを特徴とする請求項１記載の画像処理システム。
【請求項３】
前記第１画像処理装置は、
前記第１画像処理手段が生成した第１画像データを格納する第１格納手段を備え、
前記第１送信手段は、前記第１格納手段に格納された第１画像データの格納場所である第１格納場所を前記端末装置に送信し、
前記第２画像処理装置は、
前記第２画像処理手段が生成した第２画像データを格納する第２格納手段を備え、
前記第２送信手段は、前記第２格納手段に格納された第２画像データの格納場所である第２格納場所を前記端末装置に送信し、
前記端末装置の前記受信手段は、前記第１及び第２送信手段からそれぞれ送信されてくる第１及び第２格納場所を受信し、
前記表示制御手段は、前記受信手段によって受信された第１及び第２格納場所を前記表示手段に表示させ、当該表示手段に表示される複数の格納場所の中からある格納場所が選択されると、選択された格納場所に格納されている画像データを前記第１又は第２格納手段から取得し、取得した画像データが表す画像を前記表示手段に表示させる
ことを特徴とする請求項１記載の画像処理システム。
【請求項４】
前記第２画像処理装置の前記第２送信手段は、前記第２格納場所を前記第１画像処理装置に送信し、
前記第１画像処理装置の前記第１送信手段は、前記第１格納場所と、前記第２送信手段から送信されてきた第２格納場所とを前記取得手段が取得したデータに付加して、前記端末装置に送信する
ことを特徴とする請求項３記載の画像処理システム。
【請求項５】
前記第１画像処理装置の前記取得手段が取得したデータに、当該データを用いた画像形成が禁止されていることを表す情報が含まれている場合、又は、当該取得手段が取得したデータの配信元が、画像形成が禁止されているデータを配信する配信元として予め指定されている場合、
前記第１画像処理装置の前記転送手段は、前記取得手段が取得したデータを前記第２画像処理装置に転送せず、
前記第１送信手段は、前記第１画像データに代えて、前記取得手段が取得したデータを用いた画像形成が禁止されていることを表す禁止情報を送信し、
前記端末装置の前記受信手段は、前記第１送信手段から送信されてくる前記禁止情報を受信し、
前記表示制御手段は、前記受信手段によって受信された禁止情報を前記表示手段に表示させる
ことを特徴とする請求項１記載の画像処理システム。
【請求項６】
前記第１及び第２画像処理装置は、
各々の端末装置を識別する識別情報と、当該端末装置に対する画像処理条件として設定された前記画像処理条件とを対応付けて記憶する記憶手段を備え、
前記第１及び第２画像処理手段は、自装置に設定された画像処理条件の中から前記データを要求した端末装置の識別情報と対応付けて前記記憶手段に記憶されている画像処理条件を特定し、当該特定した画像処理条件に従い、前記取得手段が取得したデータに画像処理を施す
ことを特徴とする請求項１記載の画像処理システム。
【請求項７】
前記第１及び第２画像処理装置の前記第１及び第２画像処理手段は、画像を複写した際に複写された画像上に所定の画像を描画させるための前記画像処理条件が設定されている場合、前記取得手段が取得したデータと当該画像処理条件とに基づいて形成された画像が複写されたときの複写画像を表す第３画像データをさらに生成し、
前記第１及び第２送信手段は、前記第１又は第２画像処理手段が生成した前記第３画像データを前記端末装置に送信し、
前記端末装置の前記受信手段は、前記第１又は第２送信手段から送信されてきた前記第３画像データを受信し、
前記表示制御手段は、前記受信手段によって受信された前記第３画像データが表す画像を、前記取得手段が取得したデータと前記画像処理条件とに基づいて形成された画像が複写されたときの複写画像として前記表示手段に表示させる
ことを特徴とする請求項１記載の画像処理システム。
【請求項８】
前記第１及び第２画像処理装置の前記第１及び第２送信手段は、前記画像データを圧縮してから前記端末装置に送信し、
前記端末装置の前記表示制御手段は、前記受信手段によって受信された第１及び第２画像データを伸長してから、当該第１及び第２画像データが表す各々の画像を、前記表示手段に表示させる
ことを特徴とする請求項１記載の画像処理システム。
【請求項９】
第１画像処理装置と、第２画像処理装置とを備え、
前記第１画像処理装置は、
端末装置によって要求されたデータを取得する取得手段と、
前記取得手段が取得したデータを前記第２画像処理装置に転送する転送手段と、
自装置に設定された画像処理条件に従い、前記取得手段が取得したデータに画像処理を施して第１画像データを生成する第１画像処理手段と、
前記第１画像処理手段が生成した第１画像データを前記端末装置に送信する第１送信手段とを備え、
前記第２画像処理装置は、
自装置に設定された画像処理条件に従い、前記転送手段から転送されてきたデータに画像処理を施して第２画像データを生成する第２画像処理手段と、
前記第２画像処理手段が生成した第２画像データを前記端末装置に送信する第２送信手段とを備える
ことを特徴とする画像処理システム。
【請求項１０】
第１画像処理装置と、第２画像処理装置とを備え、
前記第１画像処理装置は、
自装置に設定された画像処理条件に従い、前記第２画像処理装置から転送されてきた読取データに画像処理を施して第１画像データを生成する第１画像処理手段と、
前記第１画像処理手段が生成した第１画像データを前記第２画像処理装置に送信する第１送信手段とを備え、
前記第２画像処理装置は、
画像を読み取り、当該画像に応じた前記読取データを生成する読取手段と、
前記取得手段が生成した読取データを前記第２画像処理装置に転送する転送手段と、
自装置に設定された画像処理条件に従い、前記読取手段が生成した読取データに画像処理を施して第２画像データを生成する第２画像処理手段と、
前記第１送信手段から送信されてきた第１画像データ及び前記第２画像処理手段が生成した第２画像データが表す各々の画像を、前記読取手段が生成した読取データと各々の前記画像処理条件とに基づいて形成された画像として表示手段に表示させる表示制御手段とを備える
ことを特徴とする画像処理システム。
【発明の詳細な説明】
【技術分野】
【０００１】
本発明は、画像処理システムに関する。
【背景技術】
【０００２】
データのプリント前に、そのデータがプリントされたときの印刷物を表すプレビュー画像を利用者に提示する印刷プレビューという機能が知られている。利用者は、このプレビュー画像を閲覧することにより、データがプリントされたときにどのような印刷物が生成されるかを事前に確認することができる。例えば、特許文献１〜４には、このプレビュー画像の生成において、実際にプリントされる画像と同様のプレビュー画像を提供するための技術が開示されている。
【特許文献１】特開平１１−２０３０９９号公報
【特許文献２】特開２０００−１１２６９１号公報
【特許文献３】特開２００１−３０６２７１号公報
【特許文献４】特開２００２−０５５８０１号公報
【発明の開示】
【発明が解決しようとする課題】
【０００３】
ところで、上述したプレビュー画像を閲覧する際に、Ａ４サイズの用紙にプリントしたときの印刷物を表すプレビュー画像と、Ａ３サイズの用紙にプリントしたときの印刷物を表すプレビュー画像のように、異なる画像処理条件に従って画像形成が行われたときの印刷物を表す各々のプレビュー画像を見比べたいときがある。例えば、プリントに用いる用紙のサイズを、Ａ４サイズにするかあるいはＡ３サイズにするかを迷っている場合には、上述した２つのプレビュー画像をどちらも閲覧できると便利である。
本発明は、このような背景に鑑みてなされたものであり、同一のデータを用いた画像形成が、Ａ４とＡ３など各々異なる画像処理条件に従って行われたときの各々の画像形成結果を表す画像を提供することを目的とする。
【課題を解決するための手段】
【０００４】
上記課題を解決するため、本発明は、第１画像処理装置と、第２画像処理装置と、端末装置とを備え、前記第１画像処理装置は、前記端末装置によって要求されたデータを取得する取得手段と、前記取得手段が取得したデータを前記第２画像処理装置に転送する転送手段と、自装置に設定された画像処理条件に従い、前記取得手段が取得したデータに画像処理を施して第１画像データを生成する第１画像処理手段と、前記第１画像処理手段が生成した第１画像データを前記端末装置に送信する第１送信手段とを備え、前記第２画像処理装置は、自装置に設定された画像処理条件に従い、前記転送手段から転送されてきたデータに画像処理を施して第２画像データを生成する第２画像処理手段と、前記第２画像処理手段が生成した第２画像データを前記端末装置に送信する第２送信手段とを備え、前記端末装置は、前記第１及び第２送信手段からそれぞれ送信されてくる第１及び第２画像データを受信する受信手段と、前記受信手段によって受信された第１及び第２画像データが表す各々の画像を、前記取得手段が取得したデータと各々の前記画像処理条件とに基づいて形成される画像として表示手段に表示させる表示制御手段を備えることを特徴とする画像処理システムを提供する。
【０００５】
本発明の好ましい態様において、前記端末装置は、前記表示手段に表示される複数の画像の中からある画像が選択されると、当該選択された画像を表す画像データを生成した前記第１又は第２画像処理装置に対して、当該画像データを用いた画像形成を要求する画像形成要求手段を備え、前記第１及び第２画像処理装置は、前記端末装置の前記画像形成要求手段によって画像形成を要求されると、自装置に設定された前記画像処理条件に従い、前記第１又は第２画像処理手段が生成した画像データ応じた画像を形成する画像形成手段を備えてもよい。
【０００６】
本発明の好ましい態様において、前記第１画像処理装置は、前記第１画像処理手段が生成した第１画像データを格納する第１格納手段を備え、前記第１送信手段は、前記第１格納手段に格納された第１画像データの格納場所である第１格納場所を前記端末装置に送信し、前記第２画像処理装置は、前記第２画像処理手段が生成した第２画像データを格納する第２格納手段を備え、前記第２送信手段は、前記第２格納手段に格納された第２画像データの格納場所である第２格納場所を前記端末装置に送信し、前記端末装置の前記受信手段は、前記第１及び第２送信手段からそれぞれ送信されてくる第１及び第２格納場所を受信し、前記表示制御手段は、前記受信手段によって受信された第１及び第２格納場所を前記表示手段に表示させ、当該表示手段に表示される複数の格納場所の中からある格納場所が選択されると、選択された格納場所に格納されている画像データを前記第１又は第２格納手段から取得し、取得した画像データが表す画像を前記表示手段に表示させてもよい。
【０００７】
本発明の好ましい態様において、前記第２画像処理装置の前記第２送信手段は、前記第２格納場所を前記第１画像処理装置に送信し、前記第１画像処理装置の前記第１送信手段は、前記第１格納場所と、前記第２送信手段から送信されてきた第２格納場所とを前記取得手段が取得したデータに付加して、前記端末装置に送信してもよい。
【０００８】
本発明の好ましい態様において、前記第１画像処理装置の前記取得手段が取得したデータに、当該データを用いた画像形成が禁止されていることを表す情報が含まれている場合、又は、当該取得手段が取得したデータの配信元が、画像形成が禁止されているデータを配信する配信元として予め指定されている場合、前記第１画像処理装置の前記転送手段は、前記取得手段が取得したデータを前記第２画像処理装置に転送せず、前記第１送信手段は、前記第１画像データに代えて、前記取得手段が取得したデータを用いた画像形成が禁止されていることを表す禁止情報を送信し、前記端末装置の前記受信手段は、前記第１送信手段から送信されてくる前記禁止情報を受信し、前記表示制御手段は、前記受信手段によって受信された禁止情報を前記表示手段に表示させてもよい。
【０００９】
本発明の好ましい態様において、前記第１及び第２画像処理装置は、各々の端末装置を識別する識別情報と、当該端末装置に対する画像処理条件として設定された前記画像処理条件とを対応付けて記憶する記憶手段を備え、前記第１及び第２画像処理手段は、自装置に設定された画像処理条件の中から前記データを要求した端末装置の識別情報と対応付けて前記記憶手段に記憶されている画像処理条件を特定し、当該特定した画像処理条件に従い、前記取得手段が取得したデータに画像処理を施してもよい。
【００１０】
本発明の好ましい態様において、前記第１及び第２画像処理装置の前記第１及び第２画像処理手段は、画像を複写した際に複写された画像上に所定の画像を描画させるための前記画像処理条件が設定されている場合、前記取得手段が取得したデータと当該画像処理条件とに基づいて形成された画像が複写されたときの複写画像を表す第３画像データをさらに生成し、前記第１及び第２送信手段は、前記第１又は第２画像処理手段が生成した前記第３画像データを前記端末装置に送信し、前記端末装置の前記受信手段は、前記第１又は第２送信手段から送信されてきた前記第３画像データを受信し、前記表示制御手段は、前記受信手段によって受信された前記第３画像データが表す画像を、前記取得手段が取得したデータと前記画像処理条件とに基づいて形成された画像が複写されたときの複写画像として前記表示手段に表示させてもよい。
【００１１】
本発明の好ましい態様において、前記第１及び第２画像処理装置の前記第１及び第２送信手段は、前記画像データを圧縮してから前記端末装置に送信し、前記端末装置の前記表示制御手段は、前記受信手段によって受信された第１及び第２画像データを伸長してから、当該第１及び第２画像データが表す各々の画像を、前記表示手段に表示させてもよい。
【００１２】
また、本発明は、第１画像処理装置と、第２画像処理装置とを備え、前記第１画像処理装置は、端末装置によって要求されたデータを取得する取得手段と、前記取得手段が取得したデータを前記第２画像処理装置に転送する転送手段と、自装置に設定された画像処理条件に従い、前記取得手段が取得したデータに画像処理を施して第１画像データを生成する第１画像処理手段と、前記第１画像処理手段が生成した第１画像データを前記端末装置に送信する第１送信手段とを備え、前記第２画像処理装置は、自装置に設定された画像処理条件に従い、前記転送手段から転送されてきたデータに画像処理を施して第２画像データを生成する第２画像処理手段と、前記第２画像処理手段が生成した第２画像データを前記端末装置に送信する第２送信手段とを備えることを特徴とする画像処理システムを提供する。
【００１３】
さらに、本発明は、第１画像処理装置と、第２画像処理装置とを備え、前記第１画像処理装置は、自装置に設定された画像処理条件に従い、前記第２画像処理装置から転送されてきた読取データに画像処理を施して第１画像データを生成する第１画像処理手段と、前記第１画像処理手段が生成した第１画像データを前記第２画像処理装置に送信する第１送信手段とを備え、前記第２画像処理装置は、画像を読み取り、当該画像に応じた前記読取データを生成する読取手段と、前記取得手段が生成した読取データを前記第２画像処理装置に転送する転送手段と、自装置に設定された画像処理条件に従い、前記読取手段が生成した読取データに画像処理を施して第２画像データを生成する第２画像処理手段と、前記第１送信手段から送信されてきた第１画像データ及び前記第２画像処理手段が生成した第２画像データが表す各々の画像を、前記読取手段が生成した読取データと各々の前記画像処理条件とに基づいて形成された画像として表示手段に表示させる表示制御手段とを備えることを特徴とする画像処理システムを提供する。
【発明の効果】
【００１４】
本発明によれば、同一のデータを用いた画像形成が異なる画像処理条件に従って行われたときの各々の画像形成結果を表す画像を提供することができる。
【発明を実施するための最良の形態】
【００１５】
［構成］
図１は、本実施形態に係る画像処理システム１の構成を示す図である。同図に示すように、この画像処理システム１は、Ｗｅｂサーバ装置１０と、画像形成装置２０Ａ，２０Ｂ，２０Ｃと、端末装置３０とを備えている。画像形成装置２０Ａは、インターネットなどのネットワークＮ１を介してＷｅｂサーバ装置１０に接続されている。また、この画像形成装置２０Ａは、ＬＡＮ（Local Area Network）などのネットワークＮ２を介して端末装置３０及び画像形成装置２０Ｂ，２０Ｃに接続されている。つまり、画像形成装置２０Ａ，２０Ｂ，２０Ｃと端末装置３０とは、ネットワークＮ２を介して互いに接続されている。この構成において、画像形成装置２０Ａは、第１画像処理装置としての役割を担い、画像形成装置２０Ｂ，２０Ｃは、第２画像処理装置としての役割を担う。なお、以下の説明において特に区別の必要がない場合には、この画像形成装置２０Ａ，２０Ｂ，２０Ｃを総称して「画像形成装置２０」という。
【００１６】
上述したＷｅｂサーバ装置１０は、複数のコンテンツデータを格納しており、端末装置３０から要求されたコンテンツデータをその端末装置３０に配信するコンテンツデータ配信機能を有する。このコンテンツデータは、例えばＨＴＭＬ（HyperText Markup Language）などのマークアップ言語で記述されている。また、画像形成装置２０Ａは、このコンテンツデータの配信において、端末装置３０とＷｅｂサーバ装置１０との間で行われる通信を代理で行うプロキシサーバとして機能する。
【００１７】
次に、図２を参照して、図１に示した画像形成装置２０の構成について説明する。同図に示すように、この画像形成装置２０は、ＣＰＵ（Central Processing Unit）２１と、メモリ２２と、通信部２３と、表示操作部２４と、画像処理部２５と、画像形成部２６とを備えている。ＣＰＵ２１は、メモリ２２に記憶されている制御プログラムを実行することにより、画像形成装置２０の動作を制御する。メモリ２２は、例えばＲＯＭ（Read Only Memory）とＲＡＭ（Random Access Memory）とを備え、上述した制御プログラムの他、各種のデータを記憶する。
【００１８】
通信部２３は、ネットワークＮ１又はＮ２を介して接続された他の装置とデータ通信を行う。例えば、画像形成装置２０Ａの通信部２３は、ネットワークＮ１を介して接続されたＷｅｂサーバ装置１０、又は、ネットワークＮ２を介して接続された端末装置３０，画像形成装置２０Ｂ，２０Ｃとデータ通信を行う。また、画像形成装置２０Ｂの通信部２３は、ネットワークＮ２を介して接続された端末装置３０，画像形成装置２０Ａ，２０Ｃとデータ通信を行う。同様にして、画像形成装置２０Ｃの通信部２３は、ネットワークＮ２を介して接続された端末装置３０，画像形成装置２０Ａ，２０Ｂとデータ通信を行う。表示操作部２４は、例えばタッチパネルと各種の操作ボタンとを備え、ＣＰＵ２１による制御の下で各種の画像を表示するとともに、利用者の操作を受け付けて、その操作に応じた操作信号をＣＰＵ２１に供給する。
【００１９】
画像処理部２５は、例えば画像処理回路を備え、自装置に対して設定された画像処理条件に従って、供給されたデータに画像処理を施し、そのデータに応じた画像データを生成する。画像処理部２５が生成した画像データは、画像形成が指示されているときには、画像形成部２６に供給されて画像形成に用いられる。一方、この画像データは、端末装置３０からプレビュー画像データの送信が要求されているときには、プレビュー画像データとして端末装置３０に送信される。画像形成部２６は、自装置に対して設定された画像処理条件に従って、画像処理部２５から供給された画像データに応じた画像を用紙に形成し、これを印刷物として出力する。すなわち、各々の画像形成装置２０は、自装置に対して設定された画像処理条件に従って、画像形成を行うことになる。
【００２０】
この画像処理条件は、利用者が画像形成装置２０の表示操作部２４又は端末装置２０を操作することによって設定される。本実施形態では、画像形成装置２０Ａの画像処理条件として「特殊サイズ，カラー」が設定され、画像形成装置２０Ｂの画像処理条件として「Ａ４，カラー，隠し画像付加」が、画像形成装置２０Ｃの画像処理条件として「Ａ４，カラー」が設定された場合を想定する。「特殊サイズ」は、利用者によって指定された規定外の用紙サイズの用紙に対応する大きさの画像を形成するための画像処理条件である。「カラー」は、カラーの画像を形成するための画像処理条件である。「Ａ４」はＡ４サイズの用紙に対応する大きさの画像を形成するための画像処理条件である。「隠し画像付加」は、隠し画像が付加された画像を形成するための画像処理条件である。この隠し画像は、印刷物が複写された際に、複写された画像上に“コピー禁止”などの文字画像を描画させるための画像である。
【００２１】
次に、図３を参照して、図１に示した端末装置３０の構成について説明する。同図に示すように、この端末装置３０は、ＣＰＵ３１と、メモリ３２と、通信部３３と、記憶部３４と、操作部３５と、表示部３６とを備えている。ＣＰＵ３１は、メモリ３２に記憶されている制御プログラムを実行することにより、端末装置３０の動作を制御する。メモリ３２は、例えばＲＯＭとＲＡＭとを備え、上述した制御プログラムの他、各種のデータを記憶する。
【００２２】
通信部３３は、ネットワークＮ２を介して接続された画像形成装置２０とデータ通信を行う。記憶部３４は、例えばハードディスクを備え、Ｗｅｂサーバ装置１０から配信されるコンテンツデータを解釈して、表示させるためのブラウザプログラムなどを記憶している。操作部３５は、例えば各種の操作ボタンを備え、利用者の操作を受け付けて、その操作に応じた操作信号をＣＰＵ３１に供給する。表示部３６は、例えば液晶ディスプレイと液晶駆動回路とを備え、ＣＰＵ３１による制御の下で各種の画像を表示する。すなわち、ＣＰＵ３１は、表示部３６に画像を表示させる表示制御手段として機能する。
【００２３】
［動作］
次に、図４を参照して、上述した構成による画像処理システム１の動作について説明する。ここでは、Ｗｅｂサーバ装置１０から配信されたコンテンツデータのプレビュー画像を表示する場合の動作について説明する。
Ｗｅｂサーバ装置１０に格納されているコンテンツデータを閲覧したい場合、利用者は、まず、操作部３５を操作して、Ｗｅｂブラウザの起動を指示する。ＣＰＵ３１は、この操作に応じて、記憶部３４に記憶されているブラウザプログラムを実行し、Ｗｅｂブラウザを起動させる。続いて、利用者は、操作部３５を操作して、閲覧したいコンテンツデータの格納場所、例えばＵＲＬ（Uniform Resource Locator）をこのＷｅｂブラウザに入力する。ＣＰＵ３１は、この操作に応じて、コンテンツデータの送信を要求するコンテンツ要求情報を、プロキシサーバとして予め設定された画像形成装置２０Ａに通信部３３によって送信する（ステップＳ１１０）。このコンテンツ要求情報には、コンテンツ要求情報の送信元である端末装置３０の通信アドレスと、入力された格納場所とが含まれている。
【００２４】
画像形成装置２０ＡのＣＰＵ２１は、コンテンツ要求情報が送信されてくると、このコンテンツ要求情報に含まれている送信元の通信アドレスを自身の通信アドレスに書き換える。そして、画像形成装置２０ＡのＣＰＵ２１は、送信元の通信アドレスが書き換えられたコンテンツ要求情報を、通信部２３によってＷｅｂサーバ装置１０に送信する（ステップＳ１２０）。Ｗｅｂサーバ装置１０は、コンテンツ要求情報が送信されてくると、このコンテンツ要求情報に含まれている格納場所からコンテンツデータを読み出す。そして、Ｗｅｂサーバ装置１０は、読み出したコンテンツデータを、コンテンツ要求情報の送信元である画像形成装置２０Ａに配信する（ステップＳ１３０）。
【００２５】
画像形成装置２０ＡのＣＰＵ２１は、コンテンツデータが配信されてくると、このコンテンツデータをメモリ２２に記憶させたのち、通信部２３によって端末装置３０に送信する（ステップＳ１４０）。このようにして、画像形成装置２０Ａは、端末装置３０から要求されたコンテンツデータを取得する。続いて、画像形成装置２０ＡのＣＰＵ２１は、メモリ２２に記憶させたコンテンツデータを読み出し、通信部２３によって画像形成装置２０Ｂ，２０Ｃに転送する（ステップＳ１５０）。
【００２６】
続いて、画像形成装置２０ＡのＣＰＵ２１は、メモリ２２に記憶させたコンテンツデータを再び読み出して、画像処理部２５に供給する。画像処理部２５は、自装置に対して設定された画像処理条件、すなわち「特殊サイズ，カラー」に従って、このコンテンツデータに画像処理を施し、このコンテンツデータに応じたプレビュー画像データ（第１画像データ）を生成する（ステップＳ１６０）。このプレビュー画像データは、コンテンツデータを用いた画像形成が、「特殊サイズ，カラー」という画像処理条件に従って行われたときの印刷物（画像形成結果）を表すものである。続いて、画像形成装置２０ＡのＣＰＵ２１は、このプレビュー画像データをメモリ２２（格納手段）に格納させる。
【００２７】
また、画像形成装置２０Ｂ，２０ＣのＣＰＵ２１は、ステップＳ１５０において画像形成装置２０Ａからコンテンツデータが転送されてくると、このコンテンツデータを各々の画像処理部２５に供給する。画像形成装置２０Ｂ，２０Ｃの画像処理部２５は、自装置に対して設定された各々の画像処理条件に従って、このコンテンツデータに画像処理を施し、コンテンツデータに応じたプレビュー画像データ（第２画像データ）を生成する（ステップＳ１７０）。すなわち、画像形成装置２０Ｂの画像処理部２５は、「Ａ４，カラー，隠し画像付加」という画像処理条件に従って、コンテンツデータに応じたプレビュー画像データを生成する。このプレビュー画像データは、コンテンツデータを用いた画像形成が、「Ａ４，カラー，隠し画像付加」という画像処理条件に従って行われたときの印刷物を表すものである。また、画像形成装置２０Ｃの画像処理部２５は、「Ａ４，カラー」という画像処理条件に従って、コンテンツデータに応じたプレビュー画像データを生成する。このプレビュー画像データは、コンテンツデータを用いた画像形成が、「Ａ４，カラー」という画像処理条件に従って行われたときの印刷物を表すものである。続いて、画像形成装置２０Ｂ，２０ＣのＣＰＵ２１は、自装置において生成されたプレビュー画像データを各々のメモリ２２（格納手段）に格納させる。
【００２８】
端末装置３０のＣＰＵ３１は、ステップＳ１４０において画像形成装置２０Ａからコンテンツデータが送信されてくると、このコンテンツデータをＷｅｂブラウザによって解釈させ、コンテンツ閲覧画面として表示部３６に表示させる（ステップＳ１８０）。図５は、このコンテンツ閲覧画面Ｗ２の一例を示す図である。コンテンツ閲覧画面Ｗ２には、Ｗｅｂサーバ装置１０から配信されたコンテンツデータが表すコンテンツＥの他に、プレビューボタンｐｂが配置されている。プレビューボタンｐｂは、コンテンツＥをプリントしたときの印刷物を表すプレビュー画像を表示させるためのボタンである。
【００２９】
利用者は、コンテンツＥのプレビュー画像を閲覧したい場合、操作部３５を操作して、このプレビューボタンｐｂを押す。端末装置３０のＣＰＵ３１は、この操作に応じて、プレビュー画像データの送信を要求するプレビュー画像要求情報を、通信部３３によって画像形成装置２０Ａ，２０Ｂ，２０Ｃに送信する（ステップＳ１９０）。画像形成装置２０Ａ，２０Ｂ，２０ＣのＣＰＵ２１は、プレビュー画像要求情報が送信されてくると、ステップＳ１６０又はＳ１７０において生成したプレビュー画像データを各々のメモリ２２から読み出す。そして、画像形成装置２０Ａ，２０Ｂ，２０ＣのＣＰＵ２１は、読み出したプレビュー画像データを各々の通信部２３によって端末装置３０に送信する（ステップＳ２００，Ｓ２１０）。
【００３０】
端末装置３０のＣＰＵ３１は、画像形成装置２０Ａ，２０Ｂ，２０Ｃからプレビュー画像データが送信されてくると、送信されてきた各々のプレビュー画像データを通信部３３によって受信する。そして、端末装置３０のＣＰＵ３１は、受信したプレビュー画像データに基づいたプレビュー画面を表示部３６に表示させる（ステップＳ２２０）。図６は、このプレビュー画面Ｗ３の一例を示す図である。このプレビュー画面Ｗ３には、画像形成装置２０Ａから送信されてきたプレビュー画像データが表すプレビュー画像Ｖ１と、画像形成装置２０Ｂから送信されてきたプレビュー画像データが表すプレビュー画像Ｖ２と、画像形成装置２０Ｃから送信されてきたプレビュー画像データが表すプレビュー画像Ｖ３とが並べて配置されている。同図に示すように、プレビュー画像Ｖ１は、図５に示したコンテンツＥを表すコンテンツデータを用いた画像形成が、「特殊サイズ，カラー」という画像処理条件に従って行われたときの印刷物を表している。また、プレビュー画像Ｖ２は、図５に示したコンテンツＥを表すコンテンツデータを用いた画像形成が、「Ａ４，カラー，隠し画像付加」という画像処理条件に従って行われたときの印刷物を表している。さらに、プレビュー画像Ｖ３は、図５に示したコンテンツＥを表すコンテンツデータを用いた画像形成が、「Ａ４，カラー」という画像処理条件に従って行われたときの印刷物を表している。利用者は、これらのプレビュー画像Ｖ１〜Ｖ３を見比べることにより、コンテンツデータを用いた画像形成が各々の画像処理条件に従って行われたときに、どのような印刷物が出力されるかを確認することができる。
【００３１】
加えて、プレビュー画像Ｖ１〜Ｖ３には、プリントボタンｂ１〜ｂ３が設けられている。プリントボタンｂ１〜ｂ３は、対応するプレビュー画像Ｖ１〜Ｖ３が表す印刷物の画像処理条件に従ってコンテンツＥをプリントさせるためのボタンである。例えば、利用者が、プレビュー画像Ｖ１が表す印刷物の画像処理条件、すなわち「特殊サイズ，カラー」に従ってコンテンツＥをプリントさせる場合を想定する。この場合、利用者は、操作部３５を操作して、プレビュー画像Ｖ１に設けられているプリントボタンｂ１を押す。端末装置３０のＣＰＵ３１は、この操作に応じて、プレビュー画像Ｖ１を表すプレビュー画像データの送信元である画像形成装置２０Ａに対して、コンテンツＥに応じた画像の形成を要求する（ステップＳ２３０）。すなわち、端末装置３０のＣＰＵ３１は、表示部３６に表示される複数のプレビュー画像の中からあるプレビュー画像が選択されると、選択されたプレビュー画像を表すプレビュー画像データを生成した画像形成装置２０に対して、そのプレビュー画像データを用いた画像形成を要求する。
【００３２】
画像形成装置２０ＡのＣＰＵ２１は、この要求に応じて、ステップＳ１６０において生成したプレビュー画像データをメモリ２２から読み出し、画像形成部２６に供給する。画像形成装置２０Ａの画像形成部２６は、自装置に対して設定された「特殊サイズ，カラー」という画像処理条件に従って、供給されたプレビュー画像データに応じた画像を用紙に形成し、これを印刷物として出力する（ステップＳ２４０）。上述したように、このプレビュー画像データは、コンテンツＥを表すコンテンツデータに基づいて生成されたものである。したがって、この印刷物には、コンテンツＥを表すコンテンツデータに応じた画像であって、カラーの画像が、利用者によって指定された規定外の用紙サイズの用紙に対応する大きさで形成されている。また、印刷物の用紙サイズは、利用者によって指定された規定外の大きさになっている。つまり、画像形成装置２０Ａからは、図６に示したプレビュー画像Ｖ１と同様の印刷物が出力される。
【００３３】
以上説明した実施形態によれば、同一のコンテンツデータを用いた画像形成が、各々異なる画像処理条件に従って行われたときの各々の印刷物を表すプレビュー画像を利用者に提供することができる。また、上述した実施形態では、プレビュー画像データが各々の画像形成装置２０において並行して生成されている。これにより、プレビュー画像の生成、表示をすばやく行うことができる。さらに、上述した実施形態では、コンテンツデータを用いて画像形成を行う際に、既に生成されているプレビュー画像データを用いて画像形成を行っている。これにより、端末装置３０から画像形成が要求された時にコンテンツデータに画像処理を施す場合に比べて、画像形成を短時間で行うことができる。
【００３４】
［変形例］
以上が実施形態の説明であるが、この実施形態の内容は以下のように変形し得る。また、以下の各変形例を適宜組み合わせてもよい。
（変形例１）
上述した実施形態において、画像処理条件は、利用者によって予め設定されていた。これに対し、画像処理条件が、利用者によってプレビューボタンｐｂが押された時に設定されてもよい。この場合、端末装置３０のＣＰＵ３１は、プレビュー画像要求情報とともに、利用者によって画像形成装置２０毎に設定された画像処理条件を送信する。各々の画像形成装置２０のＣＰＵ２１は、プレビュー画像要求情報とともに画像処理条件が送信されてくると、この画像処理条件の中から自装置に対して設定された画像処理条件を抽出し、これを自装置に対して設定された画像処理条件として各々の画像処理部２５に供給する。この構成によれば、利用者は、プレビューボタンｐｂを押す時に、画像処理条件の設定を行うことができる。
【００３５】
（変形例２）
上述した実施形態において、画像処理条件は、画像形成装置２０毎に設定されていた。加えて、端末装置３０毎に異なる画像処理条件が設定されてもよい。例えば、画像形成装置２０Ａにおいて、端末装置３０Ａに対しては「特殊サイズ，カラー」という画像処理条件が設定され、端末装置３０Ｂに対しては「Ａ３，白黒」という画像処理条件が設定された場合を想定する。この場合、画像形成装置２０Ａのメモリ２２には、端末装置３０Ａを識別する識別情報と「特殊サイズ，カラー」、端末装置３０Ｂを識別する識別情報と「Ａ３，白黒」とが対応付けて記憶される。この端末装置３０の識別情報としては、端末装置３０の通信アドレスやマシン名が用いられる。例えば、端末装置３０Ａからプレビュー画像要求情報が送信されてきた場合、画像形成装置２０Ａの画像処理部２５は、端末装置３０Ａの識別情報と対応付けて記憶されている「特殊サイズ，カラー」を特定し、特定したこの画像処理条件に従って画像処理を行う。一方、端末装置３０Ｂからプレビュー画像要求情報が送信されてきた場合、画像形成装置２０Ａの画像処理部２５は、端末装置３０Ｂの識別情報と対応付けて記憶されている「Ａ３，白黒」を特定し、この画像処理条件に従って画像処理を行う。この構成によれば、各々の端末装置３０に対して、それぞれ異なる画像処理条件に従って画像形成が行われたときの印刷物を表すプレビュー画像を提供することができる。
【００３６】
（変形例３）
上述した実施形態において、画像処理条件は、利用者によって設定されていたが、これに限らない。例えば、製造時やメンテナンス時に設定されていてもよい。製造時やメンテナンス時に設定される画像処理条件としては、例えば「ＵＵＩＤ印字」という画像処理条件がある。この「ＵＵＩＤ印字」は、一意に特定可能な識別情報を所定の位置に付加させた画像を形成するための画像処理条件である。この識別情報は、例えば画像形成装置２０の通信アドレス、時刻及びランダムな文字列によって構成される。この構成によれば、「ＵＵＩＤ印字」のように製造時やメンテナンス時に設定された画像処理条件についても、プレビュー画像に反映させることができる。
【００３７】
（変形例４）
上述した実施形態において、画像形成が行われる際に、印刷物に影響を及ぼす処理が行なわれる場合には、その影響を画像として表すための画像処理条件が設定されてもよい。この印刷物に影響を及ぼす処理としては、例えば、白以外の色の用紙に画像を形成する処理や、穴あけやホチキス止めなどの後処理などがある。例えば、画像形成装置２０Ａに赤色の用紙が収容されている場合を想定する。この場合、画像形成装置２０ＡのＣＰＵ２１は、赤色の背景画像が付加された画像を形成するための「背景赤」という画像処理条件を設定し、この画像処理条件を画像処理部２５に供給する。なお、収容されている用紙の色は、用紙の色を検出するセンサーなどを用いて検出してもよいし、利用者によって指定されてもよい。この場合、画像処理部２５は、「背景赤」という画像処理条件に従って、赤色の背景画像の合成を行い、コンテンツデータに応じたプレビュー画像データを生成する。これにより、プレビュー画像の背景色を、実際に出力される印刷物の背景色と同じ赤色にすることができる。なお、このプレビュー画像が選択されて、画像形成が指示された場合、画像形成装置２０Ａの画像処理部２５は、プレビュー画像データに付加されている赤色の背景画像を除去してから、プレビュー画像データを画像形成部２６に供給することになる。
【００３８】
（変形例５）
上述した実施形態では、画像形成装置２０Ａのみがプロキシサーバとして機能していたが、画像形成装置２０Ｂ，２０Ｃについても、ネットワークＮ１を介してＷｅｂサーバ装置１０に接続させ、プロキシサーバとして機能させてもよい。この場合、予め設定された優先順位が高い画像形成装置２０が、通常用いられるプロキシサーバとして機能し、この画像形成装置２０の電源が切断されたり、データ通信ができない場合には、次に優先順位が高い画像形成装置２０がプロキシサーバとして機能する。具体的に説明すると、端末装置３０は、まず、通常用いられるプロキシサーバとして機能する画像形成装置２０にコンテンツ要求情報を送信する。この画像形成装置２０から一定時間応答がなかった場合、端末装置３０は、次に優先順位が高い画像形成装置２０にこのコンテンツ要求情報を再送する。この場合、次に優先順位が高い画像形成装置２０が、プロキシサーバとして機能することになる。この構成によれば、プロキシサーバとして機能していた画像形成装置２０の電源が切断されたり、データ通信ができなくなった場合にも、端末装置３０とＷｅｂサーバ装置１０との間で正常にデータ通信を行うことができる。
【００３９】
（変形例６）
上述した実施形態において、画像形成装置２０Ａ，２０Ｂ，２０Ｃと端末装置３０とは、ネットワークＮ２を介して互いに接続されていた。これに対し、プロキシサーバとして機能しない画像形成装置２０Ｂ，２０Ｃについては、端末装置３０には接続されず、画像形成装置２０Ａのみに接続されていてもよい。この場合、画像形成装置２０Ｂ，２０ＣのＣＰＵ２１は、生成したプレビュー画像データを画像形成装置２０Ａに送信する。そして、画像形成装置２０ＡのＣＰＵ２１は、自装置において生成されたプレビュー画像データと、画像形成装置２０Ｂ，２０Ｃから送信されてきたプレビュー画像データとを端末装置３０に送信する。この構成によれば、端末装置３０に接続されていない画像形成装置２０についても、プレビュー画像データを生成させることができる。
【００４０】
（変形例７）
上述した実施形態において、画像形成装置２０は、生成したプレビュー画像データそのものを端末装置３０に送信していた。これに対し、画像形成装置２０Ｃは、生成したプレビュー画像データの格納場所、例えばＵＲＬを端末装置３０に送信してもよい。この場合、プレビュー画面には、画像形成装置２０から送信されてきた各々の格納場所が配置される。そして、利用者によって所望のプレビュー画像データが格納されている格納場所が選択されると、端末装置３０のＣＰＵ３１は、その格納場所に格納されているプレビュー画像データを、その格納場所が表す画像形成装置２０のメモリ２２から取得し、そのプレビュー画像データが表すプレビュー画像を表示させる。この構成によれば、利用者は、所望のプレビュー画像のみを閲覧することができる。
【００４１】
また、プレビュー画像データの格納場所は、Ｗｅｂサーバ装置１０から配信されたコンテンツデータに埋め込まれて送信されてもよい。この場合、Ｗｅｂサーバ装置１０から配信されたコンテンツデータが端末装置３０に送信される前に、ステップＳ１５０〜Ｓ１７０の処理が行われる。ただし、ステップＳ１７０において、画像形成装置２０Ｂ，２０ＣのＣＰＵ２１は、生成したプレビュー画像データの格納場所を画像形成装置２０Ａに送信する。そして、画像形成装置２０ＡのＣＰＵ２１は、自装置において生成されたプレビュー画像データの格納場所と、画像形成装置２０Ｂ，２０Ｃから送信されてきた各々の格納場所とをコンテンツデータの埋め込んで、端末装置３０に送信する。この構成でも、利用者は、所望のプレビュー画像のみを閲覧することができる。
【００４２】
（変形例８）
図６に示したプレビュー画面Ｗ３には、プレビュー画像Ｖ１〜Ｖ３が並べて表示されていたが、プレビュー画像の表示形態はこれに限らない。例えば、これらのプレビュー画像Ｖ１〜Ｖ３が重ねて表示されてもよい。この場合、最前面に表示されているプレビュー画像には、他のプレビュー画像を最前面に表示させるためのボタンが設けられているとよい。
【００４３】
（変形例９）
上述した実施形態において、Ｗｅｂサーバ装置１０から配信されたコンテンツデータに、そのコンテンツデータを用いた画像形成が禁止されていることを表す情報が含まれている場合には、そのコンテンツデータのプレビュー画像を表示せずに、画像形成が禁止されていることを表す禁止画像（禁止情報）が表示されてもよい。例えば、Ｗｅｂサーバ装置１０から配信されたＰＤＦ（Portable Document Format）形式のコンテンツデータに、そのコンテンツデータを用いたプリントが禁止されていることを表す情報が含まれている場合を想定する。この場合、画像形成装置２０ＡのＣＰＵ２１は、端末装置３０からコンテンツ要求情報が端末装置３０から送信されてくると、プリントが禁止されていることを表す禁止画像データをメモリ２２から読み出し、端末装置３０に送信する。これにより、端末装置３０の表示部３６には、図７に示すような禁止画像Ｎが表示される。利用者は、禁止画像Ｎを閲覧することにより、閲覧しているコンテンツがプリントできないデータであることを視認することができる。この場合、端末装置３０は、このコンテンツについて、利用者からの画像形成の指示を受け付けない。
【００４４】
また、画像形成が禁止されているデータを配信する配信元として予め指定されたＷｅｂサーバ装置１０からコンテンツデータが配信されてきた場合に、そのコンテンツデータのプレビュー画像を表示せずに、画像形成が禁止されていることを表す禁止画像が表示されてもよい。この場合、画像形成装置２０Ａのメモリ２２には、画像形成が禁止されているデータの配信元として、Ｗｅｂサーバ装置１０のＵＲＬや通信アドレスなどが予め登録されているとよい。さらに、上述した禁止画像データは、Ｗｅｂサーバ装置１０から配信されてきたコンテンツデータとともに送信されてもよい。この場合には、図５に示したコンテンツ閲覧画面Ｗ２上に、図７に示した禁止画像Ｎが配置されることになる。
【００４５】
（変形例１０）
上述した実施形態において、画像形成装置２０のＣＰＵ２１は、プレビュー画像データを圧縮せずに端末装置３０に送信していた。これに対し、画像形成装置２０のＣＰＵ２１は、プレビュー画像データを圧縮してから、端末装置３０に送信してもよい。このデータ圧縮としては、可逆圧縮であってもよいし、プレビュー画像データを間引くなどの非可逆圧縮であってもよい。この場合、端末装置３０のＣＰＵ３１は、圧縮されたプレビュー画像データを伸長してから、プレビュー画像として表示させることになる。これにより、画像形成装置２０と端末装置３０との間のネットワークＮ２の負荷を減らすことができる。
【００４６】
（変形例１１）
上述した実施形態において、プレビュー画像は、コンテンツデータを用いた画像形成が行われたときの印刷物のみを表していたが、これに限らない。例えば、「隠し画像付加」という画像処理条件が設定されている場合には、さらに、印刷物が複写されたときの複写物を表すプレビュー画像データが生成されてもよい。図８は、このときに生成されるプレビュー画像データが表すプレビュー画像Ｖ２０の一例を示す図である。このプレビュー画像Ｖ２０には、図５に示したコンテンツＥを表すコンテンツデータを用いた画像形成が、「隠し画像付加」という画像処理条件に従って行われたときの印刷物を表す画像ｖ１と、その印刷物が複写されたときの複写物を表す画像ｖ２とが並べて配置されている。同図に示すように、画像ｖ２には、“コピー禁止”という文字画像（所定の画像）が複写画像上にくっきりと描画されている。これにより、利用者は、隠し画像が付加された印刷物を複写したときにどのような複写物が生成されるかを同時に確認することができる。
【００４７】
（変形例１２）
上述した実施形態では、Ｗｅｂサーバ装置１０から配信されたコンテンツデータのプレビュー画像を表示していたが、プレビュー画像の対象となるデータはこれに限らない。例えば、画像形成装置２０Ａが、画像を読み取り、その画像に応じた読取データを生成する画像読取部を備えている場合には、この読取データのプレビュー画像が表示操作部２４に表示されてもよい。この場合、画像形成装置２０ＡのＣＰＵ２１は、生成した読取データを画像形成装置２０Ｂ，２０Ｃに転送してから、画像処理条件に従って、読取データに応じたプレビュー画像データを生成する。画像形成装置２０Ｂ，２０Ｃの画像処理部２５は、各々の画像処理条件に従って、転送されてきた読取画像データに応じたプレビュー画像データを生成すると、このプレビュー画像データを画像形成装置２０Ａに送信する。画像形成装置２０ＡのＣＰＵ２１は、自装置において生成されたプレビュー画像データと、画像形成装置２０Ｂ，２０Ｃから送信されてきたプレビュー画像データに基づいたプレビュー画面を表示制御部２４に表示させる。これにより、利用者は、画像の読み取りによって生成された読取データを用いて画像形成が行われたときに、どのような印刷物が生成されるかを確認することができる。
【００４８】
（変形例１３）
上述した実施形態では、端末装置３０に接続されている画像形成装置２０Ａ，２０Ｂ，２０Ｃがプレビュー画像データを生成していたが、利用者によって予め指定された画像形成装置２０のみがプレビュー画像データを生成してもよい。この場合、画像形成装置２０Ａは、ステップＳ１５０において、プレビュー画像データの生成を行う装置として予め指定された画像形成装置２０であって、自装置以外の画像形成装置２０のみにコンテンツを転送する。これにより、利用者は、プレビュー画像データの生成を行う画像形成装置２０を選択することができる。
【００４９】
（変形例１４）
上述した実施形態では、画像処理装置の役割を担う装置として、画像形成装置２０を例に挙げて説明したが、これに限らない。例えば、画像形成部を備えていない画像処理装置であってもよい。
【図面の簡単な説明】
【００５０】
【図１】本実施形態に係る画像処理システムの構成を示す図である。
【図２】同画像処理システムにおける画像形成装置の構成を示す図である。
【図３】同画像処理システムにおける端末装置の構成を示す図である。
【図４】同画像処理システムの動作を示すシーケンス図である。
【図５】コンテンツ閲覧画面の一例を示す図である。
【図６】プレビュー画面の一例を示す図である。
【図７】変形例に係る禁止画像の一例を示す図である。
【図８】変形例に係るプレビュー画像の一例を示す図である。
【符号の説明】
【００５１】
１…画像処理システム、１０…Ｗｅｂサーバ装置、２０…画像形成装置、２１…ＣＰＵ、２２…メモリ、２３…通信部、２４…表示操作部、２５…画像処理部、２６…画像形成部、３０…端末装置、３１…ＣＰＵ、３２…メモリ、３３…記憶部、３４…通信部、３５…操作部、３６…表示部。
【図１】
2009110381.tif 000003
【図２】
2009110381.tif 000004
【図３】
2009110381.tif 000005
【図４】
2009110381.tif 000006
【図５】
2009110381.tif 000007
【図７】
2009110381.tif 000008
【図６】
2009110381.tif 000009
【図８】
2009110381.tif 000010